(57)【特許請求の範囲】
【請求項１】
送信元である第１のユーザと送信先である第２のユーザとの関連度に応じた制限情報であって、前記第１のユーザと前記第２のユーザとの間で共有する生体情報に制限をかける制限情報を記憶する制限情報記憶部と、
前記第１のユーザと前記第２のユーザとの前記関連度を取得する関連度取得部と、
前記第１のユーザと前記第２のユーザとの間で共有する前記生体情報を取得する生体情報取得部と、
前記関連度取得部により取得した前記第１のユーザと前記第２のユーザとの前記関連度に応じて前記制限情報記憶部から前記制限情報を読み出し、前記読み出した前記制限情報に基づいて、前記生体情報取得部により取得した前記生体情報に制限をかける生体情報制限部と、
前記生体情報制限部により制限がかけられた前記生体情報を前記第２のユーザに送信する通信部と、を備え、
前記制限情報記憶部に記憶される前記制限情報は、前記第１のユーザと前記第２のユーザとの関連度に関連付けられた制限情報であって、前記生体情報を取得した時間帯により前記取得した生体情報の送信を制限する制限情報、前記生体情報の精度を制限する制限情報、及び複数の種類の生体情報から送信する生体情報の種類を制限する制限情報のうちの２以上の組合せを含む制限情報である生体情報通信装置。
【請求項２】
前記送信する生体情報は、前記生体情報を解析した情報を含む請求項１に記載の生体情報通信装置。
【請求項３】
前記第１のユーザの生体情報を測定する生体情報測定部を備え、
前記生体情報取得部は、前記生体情報測定部により測定された前記生体情報を取得する請求項１又は２に記載の生体情報通信装置。
【請求項４】
前記生体情報取得部は、前記生体情報を測定する生体情報測定部を備えたウェアラブル端末と通信し、前記生体情報測定部により測定された前記生体情報を取得する請求項１から３のいずれか１項に記載の生体情報通信装置。
【請求項５】
前記制限情報記憶部に記憶される前記制限情報は、前記第１のユーザと前記第２のユーザとの関連度に関連付けられた制限情報であって、前記生体情報を取得した場所により前記取得した生体情報の送信を制限する制限情報、又は前記生体情報を取得したときの姿勢により前記取得した生体情報の送信を制限する制限情報を含む請求項１から４のいずれか１項に記載の生体情報通信装置。
【請求項６】
前記関連度取得部は、
前記第１のユーザの第１の時間帯における地理的範囲、生体情報、発話音声、撮影画像、及びソーシャルネットワーキングサービス上の活動のうち少なくとも１つを含む第１のユーザ情報を取得する第１のユーザ情報取得部と、
前記第２のユーザの第２の時間帯における地理的範囲、生体情報、発話音声、撮影画像、及びソーシャルネットワーキングサービス上の活動のうち少なくとも１つを含む第２のユーザ情報を取得する第２のユーザ情報取得部と、
前記取得された前記第１のユーザ情報及び前記取得された前記第２のユーザ情報から、前記第１のユーザと前記第２のユーザとが共有する時間、地理的範囲、生体情報、発話音声、撮影画像、及びソーシャルネットワーキングサービス上のつながりのうち少なくとも１つを含む共有情報に基づいて、前記第１のユーザと前記第２のユーザとの関連度を算出する関連度算出部と、
を更に備えた請求項１から５のいずれか１項に記載の生体情報通信装置。
【請求項７】
前記関連度取得部は、
前記第１のユーザ情報取得部が取得した前記第１のユーザの第１の時間帯における前記第１のユーザの生体情報と、前記第２のユーザ情報取得部が取得した前記第２のユーザの第２の時間帯における前記第２のユーザの生体情報であって、前記第１のユーザの第１の時間帯と同じ時間帯である前記第２の時間帯における前記第２のユーザの生体情報とに基づいて、前記第１のユーザと前記第２のユーザとの関連度を算出する請求項６に記載の生体情報通信装置。
【請求項８】
前記通信部から前記生体情報を送信する前に、前記送信先である第２のユーザを示すユーザ情報及び前記送信する生体情報を提示する情報提示部と、
前記情報提示部による情報の提示後に前記送信する生体情報の送信の許可又は不許可を受け付ける受付部と、を備え、
前記通信部は、前記受付部が前記生体情報の送信の許可を受け付けると、前記生体情報を送信する請求項１から７のいずれか１項に記載の生体情報通信装置。
【請求項９】
前記情報提示部に提示された前記ユーザ情報及び前記生体情報と、前記受付部が受け付けた前記生体情報の送信の許可又は不許可を示す情報とに基づいて、前記制限情報記憶部に記憶させた前記制限情報を更新する制限情報更新部を更に備えた請求項８に記載の生体情報通信装置。
【請求項１０】
請求項１から９のいずれか１項に記載の生体情報通信装置と、前記第１のユーザ及び前記第２のユーザを含む複数のユーザのうちの１のユーザと他のユーザとの関連度を記憶する関連度記憶部と、を備え、前記複数のユーザのユーザ端末とネットワークを介して通信するサーバであって、
前記関連度取得部は、前記第１のユーザのユーザ端末から受信する前記第１のユーザのユーザ識別情報に基づいて、前記関連度記憶部から前記第１のユーザと前記第２のユーザを含む他のユーザとの関連度を取得し、
前記生体情報取得部は、前記第１のユーザの前記ユーザ端末から前記ネットワークを介して前記生体情報を取得し、
前記通信部は、前記生体情報制限部により制限がかけられ、又は制限がかけられていない前記生体情報を、前記第１のユーザのユーザ端末から前記第２のユーザを含む前記他のユーザのユーザ端末に前記ネットワークを介して送信するサーバ。
【請求項１１】
コンピュータが、
送信元である第１のユーザと送信先である第２のユーザとの関連度に応じた制限情報であって、前記第１のユーザと前記第２のユーザとの間で共有する生体情報に制限をかける制限情報を記憶する制限情報記憶部を備え、
前記第１のユーザと前記第２のユーザとの前記関連度を取得するステップと、
前記第１のユーザと前記第２のユーザとの間で共有する前記生体情報を取得するステップと、
前記取得した前記第１のユーザと前記第２のユーザとの前記関連度に応じて前記制限情報記憶部から前記制限情報を読み出し、前記読み出した前記制限情報に基づいて前記取得した前記生体情報に制限をかけるステップと、
前記制限がかけられた前記生体情報を前記第２のユーザに送信するステップと、
を実行させ、
前記制限情報記憶部に記憶される前記制限情報は、前記第１のユーザと前記第２のユーザとの関連度に関連付けられた制限情報であって、前記生体情報を取得した時間帯により前記取得した生体情報の送信を制限する制限情報、前記生体情報の精度を制限する制限情報、及び複数の種類の生体情報から送信する生体情報の種類を制限する制限情報のうちの２以上の組合せを含む制限情報である生体情報通信方法。
【請求項１２】
請求項１１に記載の生体情報通信方法をコンピュータに実行させる生体情報通信プログラム。
【発明の詳細な説明】
【技術分野】
【０００１】
本発明は生体情報通信装置、サーバ、生体情報通信方法及び生体情報通信プログラムに係り、特に複数のユーザの間で生体情報を自動的に共有する技術に関する。
【背景技術】
【０００２】
近年、生体情報センサを内蔵したウェアラブル端末の普及や技術的な発展（小型化、省電力化、スマートフォンとの連携）に伴い、ウェアラブル端末を身につけ、心拍数、体温、姿勢などの種々の生体情報をリアルタイムに取得するユーザが増加している。
【０００３】
また、取得した生体情報を解析することで、例えば、健康管理、行動分析、感情分析などの様々な用途への応用が考えられている。
【０００４】
従来、ユーザが撮影により取得した画像情報と撮影時のユーザの生体情報とを、提示対象情報としてサーバに送信し、他のユーザからサーバに提示対象情報の送信要求があると、その要求に応じてサーバが１又は複数の提示対象情報を選択し、選択した提示対象情報を他のユーザに提示（送信）する情報提示方法が提案されている（特許文献１）。
【０００５】
提示対象情報の提示を受けたユーザは、他のユーザの画像を共有することができるとともに、他のユーザの撮影時の感情などを共有することができる。人の脈拍や呼吸などの生体情報は、人の感情などを表すからである。
【０００６】
一方、特許文献２には、各ユーザがどのようなコンテンツを視聴しているかを表す情報（コンテンツの視聴情報）をユーザ間で共有する技術が開示されている。即ち、特許文献２に記載の情報処理装置は、あるユーザから他のユーザの視聴情報の取得要求を受信すると、ユーザ相互に設定された情報共有レベル（親密度レベル）に応じて、視聴情報の開示対象のユーザを選別し、選別したユーザの視聴情報を抽出して送信するようにしている。
【０００７】
また、特許文献３には、各ユーザの滞在エリアが一致した度合い、及び滞在エリアの属性等によりユーザ間の親密度（関係強度）を算出する技術が記載されている（特許文献３の段落［００４５］−［００４６］参照）。
【先行技術文献】
【特許文献】
【０００８】
【特許文献１】特開２００９−１８７２３３号公報
【特許文献２】特開２００９−１２４６０６号公報
【特許文献３】特開２００９−９８９６７号公報
【発明の概要】
【発明が解決しようとする課題】
【０００９】
特許文献１には、ユーザ間で生体情報を共有する記載があるものの、プライバシーに関わる生体情報の共有に制限をかけるという発想は開示されていない。
【００１０】
特許文献２に記載の発明は、個人のプライバシーに関わるコンテンツの視聴情報をユーザ間で共有する際に、ユーザ相互に設定された情報共有レベル（親密度レベル）に応じて視聴情報の開示対象のユーザを選別し、選別したユーザの視聴情報を抽出して送信し、これにより視聴情報をユーザ間で共有しているが、視聴情報自体に制限をかけるものではない。
【００１１】
また、特許文献３には、ユーザ同士で形成される人的ネットワークを分析するために、ユーザ間の親密度（関係強度）を算出する技術が記載されているが、算出した親密度に応じてユーザ間で共有する情報に制限をかけるという発想は開示されていない。
【００１２】
本発明はこのような事情に鑑みてなされたもので、プライバシーに関わる生体情報をユーザ間で共有する際に、ユーザの手を煩わせることなく、簡単にかつユーザの意図に沿う形で生体情報を共有することができる生体情報通信装置、サーバ、生体情報通信方法及び生体情報通信プログラムを提供することを目的とする。
【課題を解決するための手段】
【００１３】
上記目的を達成するために本発明の一の態様に係る生体情報通信装置は、送信元である第１のユーザと送信先である第２のユーザとの関連度に応じた制限情報であって、第１のユーザと第２のユーザとの間で共有する生体情報に制限をかける制限情報を記憶する制限情報記憶部と、第１のユーザと第２のユーザとの関連度を取得する関連度取得部と、第１のユーザと第２のユーザとの間で共有する生体情報を取得する生体情報取得部と、関連度取得部により取得した第１のユーザと第２のユーザとの関連度に応じて制限情報記憶部から制限情報を読み出し、読み出した制限情報に基づいて、生体情報取得部により取得した生体情報に制限をかける生体情報制限部と、生体情報制限部により制限がかけられた生体情報を第２のユーザに送信する通信部と、を備え、制限情報記憶部に記憶される制限情報は、第１のユーザと第２のユーザとの関連度に関連付けられた制限情報であって、生体情報を取得した時間帯により取得した生体情報の送信を制限する制限情報、生体情報の精度を制限する制限情報、及び複数の種類の生体情報から送信する生体情報の種類を制限する制限情報のうちの２以上の組合せを含む制限情報である。
【００１４】
本発明の一の態様によれば、送信元である第１のユーザと送信先である第２のユーザとの間で生体情報を共有する際に、第１のユーザと第２のユーザとの関連度に応じた制限情報に基づいて共有する生体情報に制限をかける。送信元である第１のユーザは、自分自身の生体情報であっても、第１のユーザと第２のユーザとの関連度に応じた制限情報に基づいて適切に制限をかけた生体情報であれば、他のユーザ（第２のユーザ）と生体情報を共有することになっても送信元であるユーザの意図に沿うものとなる。また、制限情報記憶部に記憶された制限情報（ユーザ間の関連度に応じた制限情報）を、関連度取得部により取得した関連度に基づいて読み出し、読み出した制限情報に基づいて生体情報に制限をかけるため、ユーザの手を煩わせることなく、簡単に（自動的に）生体情報に制限をかけることができ、制限をかけた生体情報を第２のユーザに送信すること（第２のユーザと共有すること）ができる。更に、生体情報を制限する制限情報（制限内容）としては、生体情報特有の制限情報があり、生体情報を取得した時間帯により制限する制限情報（特定の時間帯に取得した生体情報の共有を許可又は不許可にする制限情報）、送信する生体情報の精度（高精度、中精度、低精度、取得する時間間隔）を制限する制限情報、及び複数の種類（心拍数、脳波、体温、血圧、姿勢等）の生体情報から送信する生体情報の種類を制限する制限情報等がある。そして、これらの制限情報のうちの２以上の組合せを含む制限情報にて生体情報を制限することで、よりユーザの意図に沿った生体情報の制限を可能にしている。
【００１５】
本発明の他の態様に係る生体情報通信装置において、送信する生体情報は、生体情報を解析した情報を含むことが好ましい。例えば、喜怒哀楽などの感情、運動量、カロリー消費量又は睡眠時間等も生体から得られる生体情報として含み得る。
【００１６】
本発明の更に他の態様に係る生体情報通信装置において、第１のユーザの生体情報を測定する生体情報測定部を備え、生体情報取得部は、生体情報測定部により測定された生体情報を取得してもよい。
【００１７】
本発明の更に他の態様に係る生体情報通信装置において、生体情報取得部は、生体情報を測定する生体情報測定部を備えたウェアラブル端末と通信し、生体情報測定部により測定された生体情報を取得してもよい。
【００１８】
本発明の更に他の態様に係る生体情報通信装置において、制限情報記憶部に記憶される制限情報は、第１のユーザと第２のユーザとの関連度に関連付けられた制限情報であって、生体情報を取得した場所により取得した生体情報の送信を制限する制限情報、又は生体情報を取得したときの姿勢により取得した生体情報の送信を制限する制限情報を含むことが好ましい。例えば、生体情報を取得した場所が風呂やトイレなどの場合、又は生体情報を取得したときの姿勢が寝ている姿勢の場合、取得した生体情報の送信を制限することが考えられる。
【００１９】
本発明の更に他の態様に係る生体情報通信装置において、関連度取得部は、第１のユーザの第１の時間帯における地理的範囲、生体情報、発話音声、撮影画像、及びソーシャルネットワーキングサービス上の活動のうち少なくとも１つを含む第１のユーザ情報を取得する第１のユーザ情報取得部と、第２のユーザの第２の時間帯における地理的範囲、生体情報、発話音声、撮影画像、及びソーシャルネットワーキングサービス上の活動のうち少なくとも１つを含む第２のユーザ情報を取得する第２のユーザ情報取得部と、取得された第１のユーザ情報及び取得された第２のユーザ情報から、第１のユーザと第２のユーザとが共有する時間、地理的範囲、生体情報、発話音声、撮影画像、及びソーシャルネットワーキングサービス上のつながりのうち少なくとも１つを含む共有情報に基づいて、第１のユーザと第２のユーザとの関連度を算出する関連度算出部と、を更に備えることが好ましい。
【００２０】
本発明の更に他の態様に係る生体情報通信装置において、関連度取得部は、第１のユーザ情報取得部が取得した第１のユーザの第１の時間帯における第１のユーザの生体情報と、第２のユーザ情報取得部が取得した第２のユーザの第２の時間帯における第２のユーザの生体情報であって、第１のユーザの第１の時間帯と同じ時間帯である第２の時間帯における第２のユーザの生体情報とに基づいて、第１のユーザと第２のユーザとの関連度を算出することが好ましい。
【００２１】
本発明の更に他の態様に係る生体情報通信装置において、通信部から生体情報を送信する前に、送信先である第２のユーザを示すユーザ情報及び送信する生体情報を提示する情報提示部と、情報提示部による情報の提示後に送信する生体情報の送信の許可又は不許可を受け付ける受付部と、を備え、通信部は、受付部が生体情報の送信の許可を受け付けると、生体情報を送信することが好ましい。生体情報を送信する前に、送信先である第２のユーザを示すユーザ情報と送信する生体情報を提示し、送信元である第１のユーザに確認させる手順を踏み、生体情報の送信の許可を受け付けた場合に生体情報を送信することが好ましい。また、送信する生体情報を変更して送信を許可するようにしてもよい。
【００２２】
本発明の更に他の態様に係る生体情報通信装置において、情報提示部に提示されたユーザ情報及び生体情報と、受付部が受け付けた生体情報の送信の許可又は不許可を示す情報とに基づいて、制限情報記憶部に記憶させた制限情報を更新する制限情報更新部を更に備えることが好ましい。
【００２３】
本発明の更に他の態様は、上述した生体情報通信装置と、第１のユーザ及び第２のユーザを含む複数のユーザのうちの１のユーザと他のユーザとの関連度を記憶する関連度記憶部と、を備え、複数のユーザのユーザ端末とネットワークを介して通信するサーバであって、関連度取得部は、第１のユーザのユーザ端末から受信する第１のユーザのユーザ識別情報に基づいて、関連度記憶部から第１のユーザと第２のユーザを含む他のユーザとの関連度を取得し、生体情報取得部は、第１のユーザのユーザ端末からネットワークを介して生体情報を取得し、通信部は、生体情報制限部により制限がかけられ、又は制限がかけられていない生体情報を、第１のユーザのユーザ端末から第２のユーザを含む他のユーザのユーザ端末にネットワークを介して送信する。
【００２４】
本発明の更に他の態様に係る生体情報通信方法は、コンピュータが、送信元である第１のユーザと送信先である第２のユーザとの関連度に応じた制限情報であって、第１のユーザと第２のユーザとの間で共有する生体情報に制限をかける制限情報を記憶する制限情報記憶部を備え、第１のユーザと第２のユーザとの関連度を取得するステップと、第１のユーザと第２のユーザとの間で共有する生体情報を取得するステップと、取得した第１のユーザと第２のユーザとの関連度に応じて制限情報記憶部から制限情報を読み出し、読み出した制限情報に基づいて取得した生体情報に制限をかけるステップと、制限がかけられた生体情報を第２のユーザに送信するステップと、を実行させ、制限情報記憶部に記憶される制限情報は、第１のユーザと第２のユーザとの関連度に関連付けられた制限情報であって、生体情報を取得した時間帯により取得した生体情報の送信を制限する制限情報、生体情報の精度を制限する制限情報、及び複数の種類の生体情報から送信する生体情報の種類を制限する制限情報のうちの２以上の組合せを含む制限情報である。
【００２５】
本発明の更に他の態様は、上述の生体情報通信方法をコンピュータに実行させる生体情報通信プログラムである。
【発明の効果】
【００２６】
本発明によれば、プライバシーに関わる生体情報をユーザ間で共有する際に、送信元である第１のユーザと送信先である第２のユーザとの関連度に応じた制限情報に基づいて共有する生体情報に制限をかけるようにしたため、送信元である第１のユーザは、自分自身の生体情報であっても、第１のユーザと第２のユーザとの関連度に応じた制限情報に基づいて適切に制限をかけた生体情報となり、他のユーザ（第２のユーザ）と生体情報を共有することになっても送信元であるユーザの意図に沿うものとすることができる。
【００２７】
また、制限情報記憶部に記憶された制限情報（ユーザ間の関連度に応じた制限情報）に基づいて生体情報に制限をかけるため、ユーザの手を煩わせることなく、簡単に生体情報に制限をかけることができ、制限をかけた生体情報を第２のユーザに送信すること（第２のユーザと共有すること）ができる。
【００２８】
更に、生体情報を制限する制限情報（制限内容）としては、生体情報を取得した時間帯により制限する制限情報、送信する生体情報の精度を制限する制限情報、及び複数の種類の生体情報から送信する生体情報の種類を制限する制限情報等の生体情報特有の制限情報があり、これらの制限情報のうちの２以上の組合せを含む制限情報にて生体情報を制限することで、よりユーザの意図に沿った生体情報の制限を行うことができる。
【図面の簡単な説明】
【００２９】
【図１】図１は本発明に係る生体情報通信装置及びサーバを含む生体情報通信システムの概念図
【図２】図２は図１に示したユーザ端末１０−１の外観を示す図
【図３】図３は図２に示したスマートフォン１００の構成を示すブロック図
【図４】図４は図２に示したウェアラブル端末１の構成を示すブロック図
【図５】図５は図１に示したサーバ２００の機能構成例を示すブロック図
【図６】図６は関連度記憶部２４０に記憶されている、ユーザ間の関連度の一例を示す図
【図７】図７は制限情報記憶部２５０に記憶されている、ユーザ間の関連度に応じた制限情報の一例を示す図
【図８】図８は本発明に係る生体情報通信方法の第１の実施形態を示すフローチャート
【図９】図９は本発明に係る生体情報通信方法の第２の実施形態を示すフローチャート
【発明を実施するための形態】
【００３０】
以下、添付図面に従って本発明に係る生体情報通信装置、サーバ、生体情報通信方法及び生体情報通信プログラムの好ましい実施形態について説明する。
【００３１】
［生体情報通信システム］
図１は、本発明に係る生体情報通信装置及びサーバを含む生体情報通信システムの概念図である。本実施形態に係る生体情報通信システムは、ユーザ毎のユーザ端末１０（１０−１、１０−２、１０−３、１０−４、…）と、生体情報通信装置として機能するサーバ２００とから構成され、各ユーザ端末１０とサーバ２００とは、ネットワーク（インターネット）５を介して接続されている。
【００３２】
各ユーザ端末１０は、それぞれユーザ自身の生体情報を、直接又はサーバ２００を経由して他のユーザのユーザ端末１０に送信したり、他のユーザのユーザ端末１０から他のユーザの生体情報を、直接又はサーバ２００を経由して受信する生体情報通信装置として機能する。
【００３３】
ユーザ端末１０−１は、生体情報を計測する生体情報センサ（生体情報測定部）を内蔵したリストバンド型のウェアラブル端末１と、ウェアラブル端末１と通信するウェアラブル端末１の所有者の携帯端末（本例では、スマートフォン１００）とから構成されている。
【００３４】
ウェアラブル端末１は、生体情報センサとして機能する心拍センサ、体温計、加速度センサ等を内蔵し、これらのセンサにより心拍数、体温、加速度を計測するとともに、これらの計測結果に基づいて運動状態、身体の姿勢、消費カロリー、歩数、睡眠時間、心的状態（リラックス、ストレス、興奮等）などを算出（解析）する。ウェアラブル端末１により計測された生体情報は、ウェアラブル端末１の内部メモリに保存管理され、又はモニタに表示できるようになっている。
【００３５】
また、ウェアラブル端末１は、ウェアラブル端末１に対応したアプリケーションがインストールされたスマートフォン１００と連携し、スマートフォン１００との間で生体情報を含む種々の情報のやり取りを行うことができ、また、スマートフォン１００を通じて生体情報をサーバ２００にアップロードすることができる。
【００３６】
スマートフォン１００は、ウェアラブル端末１に対応したアプリケーションソフトウェアがインストールされ、このアプリケーションソフトウェアが実行されることによりウェアラブル端末１との間で通信し、ウェアラブル端末１からの生体情報の取得、取得した生体情報の保存管理、及び生体情報の確認用のモニタ出力等を行う。
【００３７】
また、ウェアラブル端末１又はスマートフォン１００は、本発明に係る生体情報通信プログラムがインストールされることにより生体情報を他のユーザと自動的に共有する機能を備える。ウェアラブル端末１及びスマートフォン１００の詳細については後述する。
【００３８】
ユーザ端末１０−２は、ユーザ端末１０−１がリストバンド型のウェアラブル端末１を有しているのに対し、指輪型のウェアラブル端末２を有する点で相違する。指輪型のウェアラブル端末２は、リストバンド型のウェアラブル端末１と同様に生体情報を計測する生体情報センサを備えている。
【００３９】
ユーザ端末１０−３及びユーザ端末１０−４は、それぞれネットワーク５に接続可能なウォッチ型のウェアラブル端末及び眼鏡型のウェアラブル端末であり、生体情報を計測する生体情報センサを備えている。
【００４０】
眼鏡型のウェアラブル端末であるユーザ端末１０−４は、撮像部、ディスプレイ、ＧＰＳ(Global Positioning System)装置、加速度センサ、脳波センサ、眼電位センサ等を備え、脳波の計測、まばたき、視線方向、視線移動、体の動きなどの生体情報を計測する機能を有し、計測データその他必要な情報を眼鏡に仕込んだディスプレイに表示したり、ネットワーク５を介してサーバ２００にアップロードすることができる。
【００４１】
生体情報を計測することができるウェアラブル端末としては、上記のリストバンド型、指輪型、ウォッチ型、及び眼鏡型に限らず、着衣型、ペンダント型及びヘルメット型等の種々のウェアラブル端末が考えられ、また、計測される生体情報、及び計測データを解析して得られる情報（生体情報）も本実施形態に限定されない。
【００４２】
サーバ２００は、各ユーザのユーザ端末１０からアップロードされる生体情報を、ユーザアカント毎に保存管理し、ユーザからのアクセス要求に応じて保存している生体情報を対応するユーザのユーザ端末又はパーソナルコンピュータ等に送信する機能を有するほか、ユーザ間で生体情報を共有させる機能（本発明に係る生体情報通信装置としての機能、ユーザ間の関連度を算出及び記憶する機能等）を備えている。尚、ユーザ間で生体情報を共有させるサーバ２００の機能等の詳細については後述する。
【００４３】
＜ユーザ端末１０−１＞
図２は、図１に示したユーザ端末１０−１の外観を示す図である。
【００４４】
図２に示すユーザ端末１０−１は、ウェアラブル端末１とスマートフォン１００とから構成されている。
【００４５】
スマートフォン１００は、ウェアラブル端末１に対応するアプリケーションソフトウェアを起動することにより、ウェアラブル端末１が計測及び解析した生体情報を無線通信によりウェアラブル端末１から生体情報を取得し、取得した生体情報を保存管理し、生体情報を表示パネル１２１に表示し、あるいはサーバ２００にアップロードし、本発明に係る生体情報通信装置として機能し得る。
【００４６】
［スマートフォン１００］
図２に示すスマートフォン１００は、平板状の筐体１０２を有し、筐体１０２の一方の面に表示部としての表示パネル１２１と、入力部としての操作パネル１２２とが一体となった表示入力部１２０を備えている。また、筐体１０２は、スピーカ１３１と、マイクロホン１３２と、操作部１４０と、カメラ部１４１とを備えている。尚、筐体１０２の構成はこれに限定されず、例えば、表示部と入力部とが独立した構成を採用することや、折り畳み構造やスライド機構を有する構成を採用することもできる。
【００４７】
図３は、図２に示したスマートフォン１００の構成を示すブロック図である。図３に示すように、スマートフォン１００の主たる構成要素として、無線通信部１１０と、表示入力部１２０と、通話部１３０と、操作部１４０と、撮像部として機能するカメラ部１４１と、記憶部１５０と、外部入出力部１６０と、ＧＰＳ(Global Positioning System)受信部１７０と、モーションセンサ部１８０と、電源部１９０と、主制御部１０１とを備える。また、スマートフォン１００の主たる機能として、基地局装置と移動通信網とを介した移動無線通信を行う無線通信機能を備える。
【００４８】
無線通信部１１０は、主制御部１０１の指示に従って、移動通信網に収容された基地局装置に対し無線通信を行うものである。この無線通信を使用して、音声データ、画像データ等の各種ファイルデータ、電子メールデータなどの送受信や、Ｗｅｂデータやストリーミングデータなどの受信を行う。
【００４９】
表示入力部１２０は、主制御部１０１の制御により、画像（静止画及び動画）や文字情報などを表示して視覚的にユーザに情報を伝達するとともに、表示した情報に対するユーザ操作を検出する、いわゆるタッチパネルであって、表示パネル１２１と、操作パネル１２２とを備える。生成された３次元画像を鑑賞する場合には、表示パネル１２１は、３次元表示パネルであることが好ましい。
【００５０】
表示パネル１２１は、ＬＣＤ(Liquid Crystal Display)、ＯＥＬＤ(Organic Electro-Luminescence Display)などを表示デバイスとして用いたものである。
【００５１】
操作パネル１２２は、表示パネル１２１の表示面上に表示される画像を視認可能に載置され、ユーザの指やタッチペンによって操作される一又は複数の座標を検出するデバイスである。このデバイスをユーザの指やタッチペンによって操作すると、操作に起因して発生する検出信号を主制御部１０１に出力する。次いで、主制御部１０１は、受信した検出信号に基づいて、表示パネル１２１上の操作位置（座標）を検出する。
【００５２】
図２に示すように、スマートフォン１００の表示パネル１２１と操作パネル１２２とは一体となって表示入力部１２０を構成しているが、操作パネル１２２が表示パネル１２１を完全に覆うような配置となっている。この配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、表示領域と称する）と、それ以外の表示パネル１２１に重ならない外縁部分についての検出領域（以下、非表示領域と称する）とを備えていてもよい。
【００５３】
尚、表示領域の大きさと表示パネル１２１の大きさとを完全に一致させても良いが、両者を必ずしも一致させる必要はない。また、操作パネル１２２が、外縁部分と、それ以外の内側部分の２つの感応領域を備えていてもよい。更に、外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【００５４】
通話部１３０は、スピーカ１３１やマイクロホン１３２を備え、マイクロホン１３２を通じて入力されたユーザの音声を主制御部１０１にて処理可能な音声データに変換して主制御部１０１に出力したり、無線通信部１１０あるいは外部入出力部１６０により受信された音声データを復号してスピーカ１３１から出力するものである。また、図２に示すように、例えば、スピーカ１３１及びマイクロホン１３２を表示入力部１２０が設けられた面と同じ面に搭載することができる。
【００５５】
操作部１４０は、キースイッチなどを用いたハードウェアキーであって、ユーザからの指示を受け付けるものである。例えば、操作部１４０は、スマートフォン１００の筐体１０２の表示部の下部、下側面に搭載され、指などで押下されるとオンとなり、指を離すとバネなどの復元力によってオフ状態となる押しボタン式のスイッチである。
【００５６】
記憶部１５０は、主制御部１０１の制御プログラムや制御データ、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部１５０は、スマートフォン内蔵の内部記憶部１５１と着脱自在な外部メモリスロットを有する外部記憶部１５２により構成される。尚、記憶部１５０を構成するそれぞれの内部記憶部１５１と外部記憶部１５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。
【００５７】
外部入出力部１６０は、スマートフォン１００に連結される全ての外部機器とのインターフェースの役割を果たすものであり、他の外部機器に通信等（例えば、ユニバーサルシリアルバスなど）又はネットワーク（例えば、インターネット、無線ＬＡＮ（Local Area Network）、ブルートゥース（Bluetooth）（登録商標）、ＲＦＩＤ（Radio Frequency Identification）、赤外線通信（Infrared Data Association：ＩｒＤＡ）、ＵＷＢ（Ultra Wideband）（登録商標）、ジグビー（ZigBee）（登録商標）など）により直接的又は間接的に接続するためのものである。
【００５８】
スマートフォン１００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続される携帯情報端末、イヤホンなどがある。外部入出力部は、このような外部機器から伝送を受けたデータをスマートフォン１００の内部の各構成要素に伝達することや、スマートフォン１００の内部のデータが外部機器に伝送されるようにすることができる。
【００５９】
ＧＰＳ受信部１７０は、主制御部１０１の指示に従って、ＧＰＳ衛星ＳＴ１〜ＳＴｎから送信されるＧＰＳ信号を受信し、受信した複数のＧＰＳ信号に基づく測位演算処理を実行し、スマートフォン１００の緯度、経度、高度からなる位置情報（ＧＰＳ情報）を検出する。ＧＰＳ受信部１７０は、無線通信部１１０や外部入出力部１６０（例えば、無線ＬＡＮ）から位置情報を取得できるときには、その位置情報を用いて位置を検出することもできる。
【００６０】
モーションセンサ部１８０は、例えば、３軸の加速度センサなどを備え、主制御部１０１の指示に従って、スマートフォン１００の物理的な動きを検出する。スマートフォン１００の物理的な動きを検出することにより、スマートフォン１００の動く方向や加速度が検出される。この検出結果は、主制御部１０１に出力されるものである。
【００６１】
電源部１９０は、主制御部１０１の指示に従って、スマートフォン１００の各部に、バッテリ（図示しない）に蓄えられる電力を供給するものである。
【００６２】
主制御部１０１は、マイクロプロセッサを備え、記憶部１５０が記憶する制御プログラムや制御データに従って動作し、スマートフォン１００の各部を統括して制御するものである。また、主制御部１０１は、無線通信部１１０を通じて、音声通信やデータ通信を行うために、通信系の各部を制御する移動通信制御機能と、アプリケーション処理機能を備える。
【００６３】
アプリケーション処理機能は、記憶部１５０が記憶するアプリケーションソフトウェアに従って主制御部１０１が動作することにより実現するものである。アプリケーション処理機能としては、例えば、外部入出力部１６０を制御して対向機器とデータ通信を行う赤外線通信機能や、電子メールの送受信を行う電子メール機能、Webページを閲覧するWebブラウジング機能などの他に、ウェアラブル端末１の専用のアプリケーションソフトウェアによりウェアラブル端末１から生体情報を自動取得し、保存及び表示等を行う機能、及び本発明に係る生体情報通信プログラムにより、取得した生体情報を他のユーザと共有させる機能などがある。
【００６４】
また、主制御部１０１は、受信データやダウンロードしたストリーミングデータなどの画像データ（静止画や動画のデータ）に基づいて、映像を表示入力部１２０に表示する等の画像処理機能を備える。画像処理機能とは、主制御部１０１が、上記画像データを復号し、この復号結果に画像処理を施して、画像を表示入力部１２０に表示する機能のことをいう。
【００６５】
更に、主制御部１０１は、表示パネル１２１に対する表示制御と、操作部１４０、操作パネル１２２を通じたユーザ操作を検出する操作検出制御を実行する。
【００６６】
表示制御の実行により、主制御部１０１は、アプリケーションソフトウェアを起動するためのアイコンや、スクロールバーなどのソフトウェアキーを表示し、あるいは電子メールを作成するためのウィンドウを表示する。尚、スクロールバーとは、表示パネル１２１の表示領域に収まりきれない大きな画像などについて、画像の表示部分を移動する指示を受け付けるためのソフトウェアキーのことをいう。
【００６７】
また、操作検出制御の実行により、主制御部１０１は、操作部１４０を通じたユーザ操作を検出したり、操作パネル１２２を通じて、上記アイコンに対する操作や、上記ウィンドウの入力欄に対する文字列の入力を受け付けたり、あるいは、スクロールバーを通じた表示画像のスクロール要求を受け付ける。
【００６８】
更に、操作検出制御の実行により主制御部１０１は、操作パネル１２２に対する操作位置が、表示パネル１２１に重なる重畳部分（表示領域）か、それ以外の表示パネル１２１に重ならない外縁部分（非表示領域）かを判定し、操作パネル１２２の感応領域や、ソフトウェアキーの表示位置を制御するタッチパネル制御機能を備える。
【００６９】
また、主制御部１０１は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００７０】
カメラ部１４１は、ＣＭＯＳ(Complementary Metal Oxide Semiconductor)やＣＣＤ(Charge-Coupled Device)などのイメージセンサを用いて電子撮像する撮像装置である。
【００７１】
また、カメラ部１４１は、主制御部１０１の制御により、撮像によって得た可視光の画像データを、例えばJPEG(Joint Photographic coding Experts Group)などの圧縮した画像データに変換し、記憶部１５０に記録したり、外部入出力部１６０や無線通信部１１０を通じて出力することができ、同様に被写体の距離を示す距離画像を記憶部１５０に記録したり、外部入出力部１６０や無線通信部１１０を通じて出力することができる。図２に示すにスマートフォン１００において、カメラ部１４１は表示入力部１２０と同じ面に搭載されているが、カメラ部１４１の搭載位置はこれに限らず、表示入力部１２０の背面に搭載されてもよいし、あるいは、複数のカメラ部１４１が搭載されてもよい。尚、複数のカメラ部１４１が搭載されている場合には、撮像に供するカメラ部１４１を切り替えて単独にて撮像したり、あるいは、複数のカメラ部１４１を同時に使用して撮像することもできる。
【００７２】
また、カメラ部１４１はスマートフォン１００の各種機能に利用することができる。例えば、表示パネル１２１にカメラ部１４１で取得した画像を表示することや、操作パネル１２２の操作入力のひとつとして、カメラ部１４１の画像を利用することができる。また、ＧＰＳ受信部１７０が位置を検出する際に、カメラ部１４１からの画像を参照して位置を検出することもできる。更には、カメラ部１４１からの画像を参照して、３軸の加速度センサを用いずに、あるいは、３軸の加速度センサと併用して、スマートフォン１００のカメラ部１４１の光軸方向を判断することや、現在の使用環境を判断することもできる。勿論、カメラ部１４１からの画像をアプリケーションソフトウェア内で利用することもできる。
【００７３】
［ウェアラブル端末１］
図２に示すウェアラブル端末１は、ユーザの手首に装着されるリストバンド型のウェアラブル端末であり、ユーザの生体情報を検出可能であり、本発明に係る生体情報通信装置として機能し得る。
【００７４】
生体情報とは、生体から計測可能な情報であり、典型的には、心拍数、脈拍、血圧、体温、呼吸数、発汗量、脳波パターンなどのバイタルサインが含まれ、また、これらの計測結果を解析して得られる喜怒哀楽などの感情、姿勢（寝た姿勢、立った姿勢、座った姿勢、歩行姿勢、走行姿勢等）、運動量、歩数、カロリー消費量又は睡眠時間が含まれてもよい。
【００７５】
図４は、図２に示したウェアラブル端末１の構成を示すブロック図である。
【００７６】
図２及び図４に示すウェアラブル端末１は、ユーザの生体情報の計測結果等の各種情報を表示可能な画面の一例である表示画面２１（例えば、ＬＣＤ、ＯＥＬＤ等）を有する表示部２０と、表示部２０の表示画面２１上でのタッチ操作の位置であるタッチ位置を検出可能なタッチセンサ２２と、ユーザの指紋を検出可能な検出部の一例である指紋センサ２３と、ウェアラブル端末１本体の側面に設けられ、かつウェアラブル端末１に対して各種操作を入力可能な操作ボタン２４と、コントローラ２５と、記憶部２６と、生体情報センサ２７と、通信部２８とを有している。本実施形態では、表示部２０及びタッチセンサ２２は、所謂タッチパネルディスプレイとして機能する。
【００７７】
コントローラ２５は、ＣＰＵ（Central Processing Unit）等により構成され、記憶部２６に記憶されたプログラムを実行することにより、ウェアラブル端末１が備える各部を制御する。記憶部２６は、ＲＯＭ及びＲＡＭ等により構成され、コントローラ２５が実行するプログラム、コントローラ２５がプログラムを実行する際に使用するデータ等の各種情報を記憶可能である。
【００７８】
生体情報センサ２７は、心拍センサ、体温計、加速度センサ等を含み、ウェアラブル端末１を装着したユーザの生体情報（例えば、心拍数、体温、運動状態等）を計測する。通信部２８は、無線通信によってスマートフォン１００等の外部機器と通信可能である。
【００７９】
＜サーバ２００＞
図５は、図１に示したサーバ２００の機能構成例を示すブロック図である。
【００８０】
サーバ２００は、主として通信部２１０（受信部２１２及び送信部２１４）、生体情報制限部２２０、関連度取得部２３０、関連度記憶部２４０及び制限情報記憶部２５０から構成されている。
【００８１】
サーバ２００は、ユーザ間で生体情報を共有させる、本発明に係る生体情報通信装置として機能する。また、サーバ２００は、各ユーザのユーザ端末１０からアップロードされた生体情報を、ユーザアカント毎に保存管理する生体情報データベースを有し、ユーザからのアクセス要求に応じて保存している生体情報を対応するユーザのユーザ端末又はパーソナルコンピュータ等に送信する機能を有するが、図５では、生体情報データベース等は省略されている。
【００８２】
本発明は、生体情報はプライバシーに関わる情報であるため、一律にユーザ間で共有すべき情報ではないという課題に着目し、送信元であるユーザ（第１のユーザ）と送信先であるユーザ（第２のユーザ）との関連度（親密度）に応じて生体情報に制限をかけ、特に生体情報の内容に制限をかけることで、プライバシーの保護を図っている。
【００８３】
また、本発明は、第１のユーザと第２のユーザとの関連度に応じて、共有する生体情報に自動的に制限をかけることで、ユーザの手を煩わせることなく、簡単に生体情報の共有を可能にするものである。
【００８４】
図５において、ユーザ端末１０のうちの送信元である第１のユーザのユーザ端末をユーザ端末１０Ａとし、送信先である第２のユーザのユーザ端末をユーザ端末１０Ｂとすると、生体情報取得部として機能する受信部２１２は、ユーザ端末１０Ａからネットワーク５を介して送信（アップロード）される生体情報等を受信し、受信した生体情報等を生体情報制限部２２０及び関連度取得部２３０に出力する。
【００８５】
尚、受信部２１２は、生体情報とともに、又は生体情報とは別にユーザ端末１０Ａの所有者の第１のユーザを一意に特定するユーザ識別情報（ユーザＩＤ（identification)）、第１のユーザの現在位置（地理的範囲）を示す情報（ＧＰＳ情報）、ユーザ端末１０Ａで撮像した静止画又は動画、発話音声、文字会話（メール、チャット）等も受信することができる。また、これらの情報には、タイムスタンプなどの時間情報が付加されている。
【００８６】
関連度取得部２３０は、生体情報の送信先である第１のユーザと送信先である第２のユーザとの関連度を取得する部分であり、ユーザ情報取得部２３２及び関連度算出部２３４を備えている。
【００８７】
ユーザ情報取得部２３２は、第１のユーザ及び第２のユーザに関する情報（第１のユーザ情報及び第２のユーザ情報）を取得する第１のユーザ情報取得部及び第２のユーザ情報取得部として機能する部分であり、第１のユーザ情報は、第１のユーザのユーザＩＤの他に、第１のユーザの生体情報を計測した時刻（第１の時間帯を含む）における第１のユーザの現在位置を示すＧＰＳ情報、計測した生体情報、発話音声、撮影画像、又はソーシャルネットワーキングサービス（ＳＮＳ：social networking service）上の活動を含む情報であり、同様に第２のユーザ情報は、第２のユーザの生体情報を計測した時刻（第２の時間帯を含む）における第２のユーザの現在位置を示すＧＰＳ情報、計測した生体情報、発話音声、撮影画像、又はＳＮＳ上の活動を含む情報である。
【００８８】
関連度算出部２３４は、ユーザ情報取得部２３２により取得された第１のユーザ情報及び第２のユーザ情報から、第１のユーザと第２のユーザとが共有する時間、地理的範囲、生体情報、発話音声、撮影画像、及びＳＮＳ上のつながりのうち少なくとも１つを含む共有情報に基づいて、第１のユーザと第２のユーザとの関連度を算出する。尚、関連度算出部２３４による具体的な関連度の算出方法については後述する。
【００８９】
関連度算出部２３４により算出された第１のユーザと第２のユーザとの関連度を示す情報は、生体情報制限部２２０に出力される。また、関連度算出部２３４により算出された関連度を示す情報は、関連度記憶部２４０に出力され、次回以降の関連度の取得のために保存される。
【００９０】
関連度記憶部２４０は、第１のユーザと第２のユーザとのユーザ間の関連度を記憶する部分であり、例えば、図６に示すようにユーザＩＤに関連付けて、送信元である第１のユーザと送信先である第２のユーザ（他のユーザ）との関連度を記憶している。
【００９１】
図６に示した第１のユーザと第２のユーザとの関連度は、非対称性を有する関連度と、対称性を有する関連度とが存在し得る。ここで、非対称性を有する関連度とは、第１のユーザから見た第２のユーザの関連度と、第２のユーザから見た第１のユーザの関連度とが異なる場合の関連度をいい、対称性を有する関連度とは、第１のユーザから見た第２のユーザの関連度と、第２のユーザから見た第１のユーザの関連度とが一致する場合の関連度をいう。
【００９２】
例えば、家族や同僚の関連度は、対称性を有する関連度となるが、家族を示す関連度が、親、子、兄弟、姉妹、祖父母等に細分化されている場合、第１のユーザと第２のユーザとの関連度は非対称性を有する関連度となる。
【００９３】
また、第１のユーザは第２のユーザを「友人」と認識していても、第２のユーザは第１のユーザを「友人」とは認識していない場合が、この場合の第１のユーザと第２のユーザとの関連度は、非対称性を有するものとなる。
【００９４】
また、図６に示す友人Ａと友人Ｂとは親密度が異なる友人として区別することが可能であり、例えば、第１のユーザにとって友人Ａは親友を意味し、友人Ｂはクラスメートなどの親友以外の友人を意味するものとして区別可能である。この場合、友人Ａに該当する第２のユーザにとって、第１のユーザが親友（友人Ａ）となるとは限らず、友人Ｂとなる場合もあり得る。
【００９５】
尚、ユーザ間の関連度は、複数段（５段階、１０段階等）のレベルに数値化されたものでもよい。
【００９６】
＜関連度の判定＞
生体情報を送信する第１のユーザと、生体情報を受信する第２のユーザ（共有相手）との関連度は、以下のように判定することができる。
【００９７】
［生体情報の解析による判定］
関連度算出部２３４は、送信元である第１のユーザのユーザ端末１０Ａと、送信先である第２のユーザのユーザ端末１０Ｂとからそれぞれアップロードされた生体情報を解析する。この場合の生体情報は、共有しようとする生体情報でもよいし、別に計測した生体情報でもよい。
【００９８】
いま、生体情報として、心拍数、呼吸数、心拍変動、脳波、体温、及び発汗などが計測されている場合、これらの生体情報から感情を分析し、第１のユーザと第２のユーザとが特定の感情の動きを判断することができる。また、生体情報の付属情報として位置情報（ＧＰＳ情報）が含まれている場合、第１のユーザと第２のユーザとが同じ場所にいることも分かる。
【００９９】
これにより、関連度算出部２３４は、第１のユーザと第２のユーザとの関連度として、同じ場所で同じ感情を持っているユーザ同士である推定する。また、第１のユーザと第２のユーザとの生体情報から第１のユーザと第２のユーザとが同じ場所でスポーツをしていることが判定することが可能であり、この場合、第１のユーザと第２のユーザとはスポーツ仲間と推定する。
【０１００】
また、生体情報として、ユーザの視線方向の測定が可能なユーザ端末の場合（例えば、図１に示した眼鏡型のウェアラブル端末であるユーザ端末１０−４の場合）、関連度算出部２３４は、ユーザ端末１０−４で計測した視線方向、眼鏡型のウェアラブル端末の方位方向（ユーザが向いている方向）、及びＧＰＳ情報等から、ユーザ同士の視線が一定回数以上、又は一定時間以上合っているかどうか判別する。そして、ユーザ同士の視線が一定回数以上、又は一定時間以上合っている場合、これらのユーザ同士は、視線を合わせる関係（関連度）があると推定する。
【０１０１】
［音声情報の解析による判定］
関連度算出部２３４は、ユーザ端末１０Ａ及びユーザ端末１０Ｂから生体情報とともに、又は生体情報とは別に音声付き動画又は音声情報がサーバ２００にアップロードされた場合、第１のユーザの発話音声と第２のユーザの発話音声を解析し、会話の内容、会話のトーン、会話している間の感情の動き（この場合、生体情報が同時に取得されていることが前提）に基づいて第１のユーザと第２のユーザとの関連度を推定する。
【０１０２】
［画像情報の解析による判定］
関連度算出部２３４は、ユーザ端末１０Ａ及びユーザ端末１０Ｂから生体情報とともに、又は生体情報とは別に静止画又は動画がサーバ２００にアップロードされた場合、アップロードされた画像を解析することにより、第１のユーザと第２のユーザとの関連度を推定する。
【０１０３】
例えば、関連度算出部２３４は、第１のユーザと第２のユーザとが一緒に写っている写真（又はその枚数）、ユーザの表情、ユーザ同士の位置関係（隣り合っている）、距離が近い、スキンシップ（肩を組んでいる、手を握っている）、ツーショットなどから第１のユーザと第２のユーザとの関連度を推定する。この場合、各ユーザの顔画像がサーバ２００内の図示しないデータベースにユーザアカントに対応して登録されていることが必要であり、また、関連度算出部２３４は、アップロードされた画像からユーザの顔認証を行う機能を有する必要がある。尚、各ユーザの顔画像は、ユーザがサーバ２００のデータベースに登録してもよいし、例えば、「自分撮り」のタグが付加された画像に基づいて関連度算出部２３４（又はサーバ２００）が各ユーザの顔画像を登録してもよい。
【０１０４】
［位置情報の解析による判定］
関連度算出部２３４は、ユーザ端末１０Ａ及びユーザ端末１０Ｂから生体情報とともに位置情報（ＧＰＳ情報）がサーバ２００にアップロードされた場合、又は生体情報とともに（又は生体情報とは別に）ＧＰＳ情報がメタ情報として付加された静止画又は動画がサーバ２００にアップロードされた場合、ＧＰＳ情報を解析するにより第１のユーザと第２のユーザとの関連度を推定する。
【０１０５】
例えば、関連度算出部２３４は、第１のユーザと第２のユーザとが一緒にいる時間、及び一緒にいる場所（自宅、会社、学校、テーマパーク、映画館、飲食店、非日常の場所、イベント会場など）から第１のユーザと第２のユーザとの関連度を推定する。
【０１０６】
［ＳＮＳ上の繋がりによる判定］
サーバ２００がＳＮＳを提供している場合、また、サーバ２００がＳＮＳを提供しているサーバから情報を取得することができる場合、関連度算出部２３４は、ＳＮＳ上の繋がり、例えば、姻戚や親子関係、同じ団体に属するユーザ、興味を持っている対象が同じ（趣味が同じ）ユーザ、投稿に対するコメントの内容（「いいね！」など）から第１のユーザと第２のユーザとの関連度を推定する。
【０１０７】
関連度算出部２３４は、上記のようにして推定したユーザ間の関連度が複数算出された場合には、最も信頼性が高い関連度、又は複数の関連度にそれぞれ異なる重み付けをして算出した関連度を、関連度記憶部２４０に記憶させる。また、サーバ２００は、各ユーザのユーザ端末１０からユーザ間の関連度を受け付けることが可能であり、ユーザ端末１０からユーザ間の関連度を受け付けた場合、ユーザ端末１０から受け付けた関連度は最も信頼性が高い関連度とすることができる。
【０１０８】
また、ユーザ間の関連度は不変ではないため、関連度算出部２３４は、古い解析結果と新しい解析結果で異なる重み付けをして関連度を算出し、算出した関連度により関連度記憶部２４０に記憶された関連度を更新するようにしてもよい。
【０１０９】
関連度取得部２３０は、関連度算出部２３４により算出された第１のユーザと第２のユーザとの関連度を取得し、又は第１のユーザのユーザＩＤに基づいて関連度記憶部２４０から第１のユーザと第２のユーザとの関連度を取得し（図６参照）、取得した関連度を示す情報を生体情報制限部２２０に出力する。
【０１１０】
制限情報記憶部２５０は、第１のユーザと第２のユーザとの関連度に応じた制限情報であって、第１のユーザと第２のユーザとの間で共有する生体情報に制限をかける制限情報を記憶している。
【０１１１】
図７は、制限情報記憶部２５０に記憶されている、ユーザ間の関連度に応じた制限情報の一例を示す図である。
【０１１２】
図７に示す例では、生体情報を取得した時間帯により生体情報の送信を制限する制限情報、送信する生体情報の精度を制限する制限情報、及び送信する生体情報の種類を制限する制限情報の３つの制限情報が組み合わされた制限情報となっている。
【０１１３】
生体情報を取得した時間帯により生体情報の送信に制限をかける制限情報とは、生体情報を取得した時間帯がどのような時間帯に属するかに応じて、その時間帯に取得した生体情報の送信に制限をかける情報であり、例えば、図６に示すように全ての時間帯を可とする情報、９：００〜２１：００の時間帯に取得した生体情報のみの送信を可とする情報、又は全ての時間帯を不可とする情報などを含む。
【０１１４】
即ち、通常の活動中の時間帯に取得された生体情報は他者との共有を許可するが、寛いでいる時間帯や睡眠中の時間帯はプライベートな時間帯であるため、これらの時間帯に取得された生体情報は他者との共有を不可とするといった制限情報である。尚、時間帯により制限をかける制限情報は、上記の例に限らず、例えば、平日は許可するが、休日及び祝日は不可とするという情報も含む。
【０１１５】
送信する生体情報の精度を制限する制限情報とは、送信する生体情報の精度に関する情報であり、例えば、図７に示すように高精度、中精度、又は低精度などの情報を含む。
【０１１６】
ここで、高精度を示す制限情報は、ウェアラブル端末により測定されたオリジナルの生体情報をそのまま送信（精度による制限をかけずに高精度のまま送信）することを許可する情報であり、中精度を示す制限情報は、高精度の生体情報の精度を落した生体情報にして送信することを許可する情報であり、低精度を示す制限情報は、中精度の生体情報の精度を更に落した生体情報にして送信することを許可する情報である。
【０１１７】
例えば、生体情報が心拍数の場合、心拍数の一の位を０又は５に丸める、又は四捨五入することで精度を落すことができ、また、心拍数の算出周期を長くすることで精度を落すこともできる。
【０１１８】
送信する生体情報の種類を制限する制限情報は、送信可能な生体情報の種類が複数存在する場合、どの種類の生体情報を送信するかを示す情報である。例えば、図７に示すように脳波、心拍数及び姿勢の３種類の生体情報の送信が可能な場合に、脳波、心拍数及び姿勢（即ち、全ての種類）の生体情報の送信を許可する情報、心拍数及び姿勢の生体情報の送信を許可する情報、又は姿勢のみの生体情報の送信を許可する情報等を含む。
【０１１９】
また、生体情報の種類は、脳波、心拍数及び姿勢の他に体温、血圧、あるいは喜怒哀楽などの感情、運動量、歩数、走行距離、カロリー消費量又は睡眠時間等も含み得る。生体情報には、その種類により他者と共有してもよい情報と共有したくない情報とがあり、「姿勢」は、「脳波」又は「心拍数」と比較して他者と共有してもよい生体情報に含まれる。
【０１２０】
尚、制限情報は、「時間帯」、「精度」及び「種類」に関する３つの制限情報に限らず、これらの３つの制限情報のうちの２つを組合せた制限情報でもよい。また、複数の制限情報の組合せからなる制限情報には、複数の制限情報のうちのいずれか１つの制限情報のみからなる制限情報（例えば、「時間帯」のみを制限し、「精度」及び「種類」については制限しない制限情報）、あるいは送信する生体情報に全く制限をかけない情報（制限情報）が含まれていてもよい。
【０１２１】
更に、制限情報の種類は、上記の３つの制限情報の他に、生体情報を取得した場所により生体情報の送信を制限する制限情報、又は生体情報を取得したときの姿勢により生体情報の送信を制限する制限情報を含んでいてもよい。生体情報を取得した場所により生体情報の送信を制限する制限情報によれば、例えば、「自宅」、「風呂」、「トイレ」又は「寝室」などの場所で取得された生体情報の共有は不可とすることができる。また、姿勢により生体情報の送信を制限する制限情報によれば、例えば、「寝ている」ときに取得された生体情報の共有は不可とすることができる。
【０１２２】
さて、図７に示すように制限情報は、ユーザ間の関連度に応じて設定されており、制限情報記憶部２５０には、関連度が高い程、制限がない、又は制限の少ない制限情報が記憶されている。
【０１２３】
生体情報制限部２２０には、ユーザ端末１０Ａから受信部２１２を介して第１のユーザの生体情報が加えられるとともに、関連度取得部２３０が取得した第１のユーザと第２のユーザとの関連度を示す情報が加えられており、生体情報制限部２２０は、関連度取得部２３０から入力する関連度を示す情報に基づいて、制限情報記憶部２５０から関連度に対応する制限情報を読み出す。そして、生体情報制限部２２０は、読み出した制限情報に基づいて受信部２１２を介して取得した生体情報に制限をかける。
【０１２４】
生体情報制限部２２０により制限がかけられた生体情報は、送信先である第２のユーザのユーザ端末１０Ｂに送信される。
【０１２５】
ここで、第２のユーザのユーザ端末１０Ｂから第１のユーザの生体情報の送信要求をサーバ２００が受信した場合に、送信要求のあった第２のユーザのユーザ端末１０Ｂに第１のユーザの生体情報を送信する形態では、第１のユーザと送信要求のあった第２のユーザと関連度に応じて制限がかけられた生体情報が送信されることになる。
【０１２６】
また、第１のユーザの生体情報の共有相手である第２のユーザが複数存在し、例えば、図６に示したように第１のユーザに対応して複数の第２のユーザの関連度が登録されており、複数の第２のユーザの各ユーザ端末１０Ｂにそれぞれ生体情報を送信する形態の場合、第１のユーザと複数の第２のユーザとの関連度をそれぞれ取得し、取得した関連度に応じてそれぞれ異なる制限がかけられた生体情報が複数の第２のユーザの各ユーザ端末１０Ｂに送信されることになる。
【０１２７】
［生体情報通信方法］
次に、本発明に係る生体情報通信方法の実施形態について説明する。
【０１２８】
＜生体情報通信方法の第１の実施形態＞
図８は、本発明に係る生体情報通信方法の第１の実施形態を示すフローチャートである。
【０１２９】
図８において、コンピュータの一形態であるサーバ２００は、送信先である第２のユーザのユーザ端末１０Ｂから送信元である第１のユーザの生体情報の送信要求があったか否かを判別する（ステップＳ１０）。
【０１３０】
送信要求があった場合（「Yes」の場合）、サーバ２００（関連度取得部２３０）は、第１のユーザと第２のユーザとの関連度を取得する（ステップＳ１２）。関連度の取得は、第１のユーザのユーザＩＤと第２のユーザのユーザＩＤとに基づいて関連度記憶部２４０から読み出す（取得する）ことができる。
【０１３１】
続いて、サーバ２００は、第１のユーザのユーザ端末１０Ａ（ウェアラブル端末）からリアルタイムの生体情報を取得する（ステップＳ１４）。尚、第１のユーザのユーザ端末１０Ａからサーバ２００にアップロードされ、ユーザアカント毎に保存管理されている生体情報データベースから第１のユーザの生体情報を取得してもよい。
【０１３２】
次に、サーバ２００（生体情報制限部２２０）は、ステップＳ１２で取得したユーザ間の関連度に応じた制限情報を制限情報記憶部２５０から取得し、取得した制限情報に基づいてステップＳ１４で取得した生体情報に制限をかける（ステップＳ１６）。
【０１３３】
そして、通信部２１０（送信部２１４）は、ステップＳ１６にて制限がかけられた生体情報を第２のユーザのユーザ端末１０Ｂに送信する（ステップＳ１８）。
【０１３４】
これにより、送信要求した第２のユーザは、第１のユーザの生体情報であって、ユーザ間の関連度に応じて制限がかけられた生体情報を取得することができる。
【０１３５】
＜生体情報通信方法の第２の実施形態＞
図９は、本発明に係る生体情報通信方法の第２の実施形態を示すフローチャートである。
【０１３６】
図９において、サーバ２００は、送信元である第１のユーザのウェアラブル端末（ユーザ端末１０Ａ）から第１のユーザの生体情報を取得する（ステップＳ２０）。
【０１３７】
続いて、サーバ２００は、第１のユーザの生体情報とともに取得可能な第１のユーザのユーザＩＤから第１のユーザの生体情報の共有相手である第２のユーザのユーザＩＤを取得し（ステップＳ２２）、第１のユーザのユーザＩＤと第２のユーザのユーザＩＤとから、第１のユーザと第２のユーザとの関連度をそれぞれ取得する（ステップＳ２４、図６参照）。
【０１３８】
次に、サーバ２００（生体情報制限部２２０）は、ステップＳ２４で取得したユーザ間の関連度に応じた制限情報を制限情報記憶部２５０から取得し、取得した制限情報に基づいてステップＳ２０で取得した生体情報に制限をかける（ステップＳ２６）。
【０１３９】
そして、通信部２１０（送信部２１４）は、ステップＳ２６にて制限がかけられた生体情報を第２のユーザのユーザ端末１０Ｂに送信する（ステップＳ２８）。
【０１４０】
次に、共有相手である全ての第２のユーザに第１のユーザの生体情報が送信されたか否かが判別され（ステップＳ３０）、送信していない第２のユーザが存在する場合（「No」の場合）には、ステップＳ２２に戻り、ここで、送信していない第２のユーザのユーザＩＤを取得し、上記ステップＳ２４からステップＳ３０の処理を繰り返す。
【０１４１】
一方、ステップＳ３０において、共有相手である全ての第２のユーザに第１のユーザの生体情報が送信されたと判別されると（「Yes」の場合）、ステップＳ２０にて取得した第１のユーザの生体情報の送信が終了する。
【０１４２】
これにより、第１のユーザの生体情報の共有相手である全ての第２のユーザは、第１のユーザの生体情報であって、第１のユーザと各々の第２のユーザ（自分自身）との関連度に応じて制限がかけられた生体情報をそれぞれ取得することができる。
【０１４３】
［その他］
上記の実施形態では、サーバ２００が本発明に係る生体情報通信装置として機能する場合について説明したが、これに限らず、本発明は、ユーザ端末１０（スマートフォン、ウェアラブル端末等）が生体情報通信装置として機能する場合も含む。
【０１４４】
この場合、ユーザ端末１０が、図５に示したサーバ２００と同様の構成を備えることになるが、ユーザ間の関連度は、サーバ２００から取得するようにしてもよい。また、第１のユーザのユーザ端末１０Ａから第２のユーザのユーザ端末１０Ｂへの第１のユーザの生体情報の送信は、サーバ２００を経由して行ってもよいし、ユーザ端末１０Ａからユーザ端末１０Ｂに直接送信するようにしてもよい。
【０１４５】
また、生体情報通信装置は、ユーザ端末１０Ａから第１のユーザの生体情報をユーザ端末１０Ｂに直接、又はサーバ２００を経由して送信する場合、送信前に一旦、ユーザ端末１０Ａの情報提示部として機能する表示部に、送信先である第２のユーザを示すユーザ情報（例えば、ユーザ名）及び送信予定の生体情報を表示（提示）させ、表示部による情報の提示後に、ユーザ端末１０Ａの操作部（受付部）での操作に応じて生体情報の送信の許可又は不許可を受け付け、受付部が生体情報の送信の許可を受け付けたときのみ、生体情報を送信するようにしてもよい。これによれば、送信元である第１のユーザの意思に反して、第１のユーザの生体情報が他のユーザに送信されることを未然に防止することができる。
【０１４６】
また、上記のように第１のユーザにより生体情報の送信の許可又は不許可を受け付ける構成を有する場合、生体情報通信装置は、情報提示部に提示されたユーザ情報及び生体情報と、受付部が受け付けた生体情報の送信の許可又は不許可を示す情報とに基づいて、制限情報記憶部２５０に記憶させた制限情報（ユーザ間の関連度）を更新する制限情報更新部を更に備えることが好ましい。これによれば、自動的に生成された制限情報を、第１のユーザが手動で設定した情報（生体情報の送信の許可又は不許可の情報）により修正することができ、第１のユーザの意思を次回の制限情報に反映させることができる。
【０１４７】
更に、本発明は、スマートフォンを含む携帯端末、ウェアラブル端末又はパーソナルコンピュータにインストールされることにより生体情報通信方法を実現させる生体情報通信プログラム、及び生体情報通信プログラムが記録された記録媒体を含む。
【０１４８】
更にまた、第１のユーザの生体情報の共有とともに、ユーザ端末１０Ａで撮像した第１のユーザの画像（静止画又は動画）の共有を行うようにしてもよく、この場合、ユーザ間の関連度に応じて送信する画像に制限（画像サイズ、画質（圧縮率）等の制限）をかけることが好ましい。
【０１４９】
また、本発明は上述した実施形態に限定されず、本発明の精神を逸脱しない範囲で種々の変形が可能であることは言うまでもない。
【符号の説明】
【０１５０】
１、２  ウェアラブル端末
５  ネットワーク
１０、１０−１〜１０−４、１０Ａ、１０Ｂ  ユーザ端末
２０  表示部
２１  表示画面
２２  タッチセンサ
２３  指紋センサ
２４  操作ボタン
２５  コントローラ
２６  記憶部
２７  生体情報センサ
２８、２１０  通信部
１００  スマートフォン
１０１  主制御部
１０２  筐体
１１０  無線通信部
１２０  表示入力部
１２１  表示パネル
１２２  操作パネル
１３０  通話部
１３１  スピーカ
１３２  マイクロホン
１４０  操作部
１４１  カメラ部
１５０  記憶部
１５１  内部記憶部
１５２  外部記憶部
１６０  外部入出力部
１７０  ＧＰＳ受信部
１８０  モーションセンサ部
１９０  電源部
２００  サーバ
２１２  受信部
２１４  送信部
２２０  生体情報制限部
２３０  関連度取得部
２３２  ユーザ情報取得部
２３４  関連度算出部
２４０  関連度記憶部
２５０  制限情報記憶部
Ｓ１０〜Ｓ３０  ステップ
【図１】
0006490023.tif 000002
【図２】
0006490023.tif 000003
【図３】
0006490023.tif 000004
【図４】
0006490023.tif 000005
【図５】
0006490023.tif 000006
【図６】
0006490023.tif 000007
【図７】
0006490023.tif 000008
【図８】
0006490023.tif 000009
【図９】
0006490023.tif 000010